(57)【要約】【課題】  横置きにして片口回転筒（２）を左右に回転させ、片口回転筒（２）の前部に一つの前部回転蓋（８）を設けて密閉し、  片口回転筒（２）の回転中心に回転継手を設け、回転継手に複数の空気流路（１０）および温水（または水蒸気）流路（１２）を設けた構造を提供する。【解決手段】（１）前部回転蓋（８）を片口回転筒（２）の前部の開口部（３）に嵌合させ、前部固定枠（６）に回転可能に枢着させ、かつ直角方向に開閉できる手段を設け、（２）前部回転蓋（８）に前部回転継手（９）を設け、空気流路（１０）によって片口回転筒（２）の内部と前部固定枠（６）の外部を連通させ、（３）後端壁（４）に後部回転継手（１１）を設け、温水流路（１２）によって片口回転筒（２）の内部と後部固定枠（７）の外部を連通させるように構成したことを特徴とする。【選択図】図１
2007298262.tif 000002
【特許請求の範囲】
【請求項１】
架台（１）の上に横置きにして片口回転筒（２）を左右に回転させ、
片口回転筒（２）の前部に開口部（３）を、後部に閉鎖した後端壁（４）を、内面に螺旋状羽根（５）を設け、
片口回転筒（２）の前方へ前部固定枠（６）を、後方へ後部固定枠（７）を架台（１）に設け、片口回転筒（２）の回転中心に前部回転蓋（８）を開口部（３）に嵌合させ、
前部回転蓋（８）を前部固定枠（６）に回転可能に枢着させ、かつ回転軸の直角方向に開閉できる手段を設け、
前部回転蓋（８）と前部固定枠（６）の間に前部回転継手（９）を回転中心に枢着させて設け、空気（または真空）流路（１０）によって回転する片口回転筒（２）の内部と固定した前部固定枠（６）の外部を連通させ、
後端壁（４）と後部固定枠（７）の間に後部回転継手（１１）を回転中心に枢着させて設け、温水（または水蒸気）流路（１２）によって回転する片口回転筒（２）の内部と固定した後部固定枠（７）の外部を連通させるように構成したことを特徴とする片口回転式真空乾燥機。
【請求項２】
片口回転筒（２）の後端壁（４）と後部固定枠（７）の間に、後部複流回転継手（１３）を回転中心に枢着させて設け、
後部複流回転継手（１３）の中に、おのおの複数の空気流路（１０）および温水流路（１２）によって、回転する片口回転筒（２）の内部と固定した後部固定枠（７）の外部を連通させるように構成したことを特徴とする請求項１記載した片口回転式真空乾燥機。
【発明の詳細な説明】
【技術分野】
【０００１】  本発明は、真空乾燥機の片口回転筒および回転継手を合体する構造に関するものである。
【背景技術】
【０００２】  生ゴミは従来の固定式真空乾燥機を公知として利用されている。
固定式真空乾燥機によって生ゴミを乾燥するには、固定した真空槽の中に生ゴミを投入し、攪拌機で回転して水分を散乱させ、蒸気と燃料によって高温度で加熱し、真空によって減圧させて乾燥する。
固定式真空乾燥機の問題は、乾燥速度が低く、機械コストや加熱コストが高いので、生ゴミを処理する経済効率が非常に悪い。主体的な加熱コストが高いのは当然であるが、副次的な真空装置、冷却装置、加熱装置、攪拌装置、脱臭装置などの機械コストも非常に高価になっており問題になっている。  したがって、とくに副次的な機械装置として、節約できる経済的な方法が必要になってきている。
【発明の開示】
【発明が解決しようとする課題】
【０００３】  生ゴミの状態は、固体分の間に水分や蒸気分から成り立っており、生ゴミの内部や表面付近に水分が保持されているが、生ゴミの固体分の組織は破砕されていないので、乾燥されるまで時間がかかる。
固定式真空乾燥機の槽内壁は固定されるので、生ゴミを攪拌しても、生ゴミを槽内壁に転動させることができないので、乾燥速度は遅く、生ゴミ処理の減量効率が少ない。
したがって、固定式真空乾燥機に対して、回転式真空乾燥機を課題とした。
回転式真空乾燥機は、回転筒を回転させて生ゴミを転動させ、生ゴミが回転筒の槽内壁によく接触し、生ゴミの水分を早く乾燥するので、乾燥速度の効率が非常に高くなる。
固定式と同じように、回転式真空乾燥機槽の内部に、温水ジャケットを設け、真空によって内部を減圧し、外部へ温水（または蒸気）流路および真空（または空気）流路の二つの流路を連通するように構成する。
特徴としては、回転式真空乾燥機に、一つの回転筒を設け、回転筒の前部と後部に二つの回転蓋を設け、回転蓋の回転中心におのおの二つの回転継手を設け、二つの温水流路と真空流路を外部へ連通することができる。
しかし、生ゴミを投入、排出するために回転蓋に開閉手段が必要になる。
回転蓋を二つに設けた両口回転式真空乾燥機にするには、回転蓋を回転および開閉させる構造が複雑になり、投入排出作業が面倒になる。
したがって、一つの回転筒、一つの回転／開閉の回転蓋、二つの流路の回転継手を可能とする構造として、片口回転式真空乾燥機を課題とした。
【課題を解決するための手段】
【０００４】  課題を解決するために、片口回転式真空乾燥機として、前部回転蓋、片口回転筒および回転継手を設け、四つの条件をまとめた。
（イ）横置きにした回転筒の前部に開口部、後部の後端壁に閉鎖した片口回転筒を設け、開口部を一つの投入兼用排出口として前部回転蓋を一つとして設ける。
（ロ）片口回転筒の内部に螺旋状羽根を設け、左右回転によって生ゴミを前後に移動させ、前部回転蓋の開閉によって生ゴミ投入または排出することができる。
（ハ）前部回転蓋に開閉可能にして前部回転継手を設け、空気流路を連通させ、後部の後端壁を閉鎖させて後部回転継手を設け、温水流路を連通させる。
（ニ）他の発明として、前部回転蓋に前部回転継手を設けずに、後部回転継手の替りに後部複流回転継手を設け、空気流路と温水流路を連通させる。【０００５】  すなわち、課題を解決するための二つの手段を提案した。
１つ目の手段は、前部回転継手と後部回転継手を利用した場合である。
（ａ）架台の上に横置きにして片口回転筒を左右に回転させ、片口回転筒の前部に開口部を、後部に閉鎖した後端壁を、内面に螺旋状羽根を設ける。
（ｂ）片口回転筒の前方へ前部固定枠を、後方へ後部固定枠を架台に設ける。
（ｃ）片口回転筒の回転中心に前部回転蓋を開口部に嵌合させ、前部回転蓋を前部固定枠に回転可能に枢着させ、かつ回転軸の直角方向に開閉できる手段を設ける。
（ｄ）前部回転蓋と前部固定枠の間に前部回転継手を回転中心に枢着させて設け、空気流路によって回転する片口回転筒の内部と、固定した前部固定枠の外部を連通させる。
（ｅ）後端壁と後部固定枠の間に後部回転継手を回転中心に枢着させて設け、温水（または水蒸気）流路によって回転する片口回転筒の内部と、固定した後部固定枠の外部を連通させるように構成したことを特徴とする。【０００６】  ２つ目の手段は、後部複流回転継手を利用した場合である。
（ｆ）片口回転筒の前部の前部回転蓋に前部回転継手を設けず、後端壁と後部固定枠の間に後部複流回転継手を回転中心に枢着させて設ける。
（ｇ）後部複流回転継手の中におのおの複数の空気流路および温水流路によって、回転する片口回転筒の内部と固定した後部固定枠の外部を連通させるように構成したことを特徴とする。
【発明の効果】
【０００７】（イ）従来の固定式真空乾燥機の場合は、生ゴミの内部や表面付近に水分が保持されるので、生ゴミが転動されないと、水分が蒸発され難くなるので、乾燥されるまで時間がかかる。
これに対して回転式真空乾燥機の場合は、回転筒を回転すると、生ゴミが転動しながら槽内壁に接触し、水分が槽内壁に付着する。つぎの回転によって生ゴミが槽内壁から脱着し、槽内壁に水分が残存されながら、槽内壁の温度によって蒸発する。接触と脱着の回転速度によって、生ゴミの水分が早く乾燥するので、乾燥速度の効率が非常に高くなる。
すなわち、回転筒の転動機能によって、生ゴミの乾燥速度を大きくすることができるので、ランニングコストが非常に経済的である。
（ロ）従来の固定式真空乾燥機の場合は、投入排出作業に投入口と排出口の両口が必要になる。これに対して片口回転式真空乾燥機の特徴は一つの前部回転蓋によって軽便になる。
前部回転蓋を開いた場合、回転筒と前部回転継手が分離されるので、空気流路は開放になり、投入および排出作業ができる。前部回転蓋を閉じた場合、前部回転継手を枢着させ回転できるので、空気流路を連通させ、乾燥作業ができる。
後部回転継手を後端壁に固定することができるので、温水流路を連結し連通することができ、常に加熱作業をすることができる。
回転筒を右回転にすると、右巻の螺旋状羽根が生ゴミを後方へ移送し貯留する。生ゴミを乾燥して左回転にすれば、生ゴミは前方へ移送し排出する。左右回転によって投入排出作業が早く簡単にできる。また、前部回転蓋を開いたままで回転筒を回転させる場合、連続投入および連続排出が簡単にできる。
すなわち、一つの大きな開口部へ前部回転蓋を設け、多量の生ゴミを連続または不連続させて投入および排出作業を軽便にすることができるので、ランニングコストが非常に経済的である。
（ハ）従来の固定式真空乾燥機は、固定した槽内壁と回転する攪拌板との間に隙間が発生し、生ゴミが多く付着し、攪拌板を強制的に攪拌させ回転させるので機械コストが大きい。
これに対して片口回転式真空乾燥機は、回転筒によって生ゴミを転動させ逆転させるので、内部の表面に生ゴミが付着しないため、排出作業が早い。しかも生ゴミを転動させるだけで、回転筒を回転させる電気量が少ないので、ランニングコストは経済的である。
（ニ）片口回転式真空乾燥機に、さらに一つの回転継手にすると作業が軽便になる。後部複流回転継手に空気流路および温水流路を合体させると、前部回転蓋に前部回転継手が不要になり、空気流路を連結するフレキシブルホースなどが不要になるので、投入排出作業が非常に軽便になる。
したがって、前部回転蓋および前部回転継手などの構造が簡単になりので、機械コストが経済的になる。
【発明を実施するための最良の形態】
【０００８】  以下、本発明の片口回転式真空乾燥機について、前部回転継手（９）と後部回転継手（１１）の２つの回転継手を設けた実施形態として、実施例の構造を説明する。
図１は、実施例の２つの回転継手を設けた片口真空乾燥機の右側面図を示し、図２は、片口回転式真空乾燥機の前面図を示す。
密閉された片口回転筒（２）の回転軸方向に直角に２個ずつ並置した前軸受（１６）及び後軸受（１７）を架台（１）の上に固定し、片口回転筒（２）を前軸受（１６）及び後軸受（１７）の上に支持し横置きにして回転させる。
架台（１）の上に横置きにして片口回転筒（２）を左右に回転させ、片口回転筒（２）の前部に開口部（３）を、後部に閉鎖した後端壁（４）を、内面に螺旋状羽根（５）を設ける。片口回転筒（２）の前方へ前部固定枠（６）を、後方へ後部固定枠（７）を架台（１）に設ける。
片口回転筒（２）の回転中心に前部回転蓋（８）を開口部（３）に嵌合させ、前部回転蓋（８）を前部固定枠（６）に回転可能に枢着させ、かつ回転軸の直角方向に開閉できる手段を設ける。
片口回転筒（２）の外周に大スプロケット（１８）を設け、回転筒用モーター（１９）に取付けた小スプロケット（２０）とチェーン（２１）を連結させる。片口回転筒（２）の内面に螺旋状羽根（５）を設ける。【０００９】  図３は、前部回転継手の断面図（図１の部分詳細図Ａ）を示す。
前部回転蓋（８）と前部固定枠（６）の間に前部回転継手（９）を回転中心に枢着させて設け、空気（または真空）流路（１０）によって回転する片口回転筒（２）の内部と固定した前部固定枠（６）の外部を連通させる。
前部回転継手（９）の回転中心に外筒継手（２２）と内筒継手（２３）を二重に構成し、外筒継手（２２）と内筒継手（２３）の間に軸受（２４）および密封材（２５）を設けて回転させ密閉する。
図２は、外筒継手（２２）は、前部回転蓋（８）の前部に固定され、内筒継手（２３）は開閉アーム（２７）に固定され、可撓ホース（３０）によって連結する。
内筒継手（２３）に取付フランジ具（２６）によって開閉アーム（２７）を固定し、開閉アーム（２７）をアーム軸（２８）によってアーム取付具（２９）に枢着し、アーム取付具（２９）を前部固定枠（６）へ取付ける。すなわち、開閉アーム（２７）を上下へ回転させ、前部回転継手（９）および前部回転蓋（８）を１８０度以上へ開閉させる。
前部回転蓋（８）は片口回転筒（２）の開口部（３）へ密着させが、前軸受（１６）及び後軸受（１７）によって、片口回転筒（２）は遊動するので、前部回転蓋（８）は左右上下方向へ摺動する。
図３は、内筒継手（２３）の管材（３１）の中に、空気流路Ａ１（３２）へ可撓ホース（３０）を、空気流路Ｂ１（３３）へ空気逃がし弁（４０）を、２つ流路を設ける。  外筒継手（２２）および内筒継手（２３）の間に、密封材（２５）および軸受（２４）を設ける。
真空ポンプ用モーター（３４）によって真空ポンプ（３５）を駆動させて吸気させ、空気流路Ａ１（３２）と通過穴（３６）を経て、片口回転筒（２）の中と真空ポンプ（３５）を連通させ、吸気管（３７）を経て、片口回転筒（２）内の水分を含む空気を減圧させ、加熱され水蒸気になって蒸発させる。
真空ポンプ（３５）から排気される空気は冷却装置（３８）を経て凝縮され排水され、脱臭器（３９）によって排気される。
片口回転筒（２）内の減圧された空気は、空気流路Ｂ１（３３）と通過穴（３６）を経て、空気逃がし弁（４０）により大気圧より吸気される。片口回転筒（２）内の減圧された空気は、大気圧に対して密封材（２５）によって密閉される。【００１０】  図４は、後部回転継手の断面図（図１の部分詳細図Ｂ）を示す。
後端壁（４）と後部固定枠（７）の間に後部回転継手（１１）を回転中心に枢着させて設け、温水（または水蒸気）流路（１２）によって回転する片口回転筒（２）の内部と固定した後部固定枠（７）の外部を連通させる。
内筒継手（４１）の管材（４２）の中に、温水流路Ｃ１（４３），温水流路Ｄ１（４４）の２つ流路を設け、おのおの可撓ホースＣ１（６６）、可撓ホースＤ１（６７）を連結する。
外筒継手（４５）の管材（４６）の中に、温水流路Ｃ２（４７），温水流路Ｄ２（４８）の２つ流路を設け、おのおの可撓ホースＣ２（６８），可撓ホースＤ２（６９）を連結する。
外筒継手（４５）および内筒継手（４１）の間に、密封材１（５１）、密封材２（５２）、密封材３（５３）を設ける。密封材１（５１）と密封材２（５２）の間に温水流路Ｃ１（４３）と温水流路Ｃ２（４７）を連通させ、密封材２（５２）と密封材３（５３）の間に温水流路Ｄ１（４４）と温水流路Ｄ２（４８）を連通させる。
ヒーター（５４）によって温水タンク（５５）に温水を加熱し、温水ポンプ用モーター（５６）によって温水ポンプ（５７）を駆動して温水を移動させる。
温水は往路管（５８）を経て、温水流路Ｃ１（４３）と温水流路Ｃ２（４７）を連通させ、片口回転筒（２）に設けた温水管（５９）に循環させ、片口回転筒（２）内を加熱させる。  循環された温水管（５９）は、復路管（６０）を経て、温水流路Ｄ１（４４）と温水流路Ｄ２（４８）を連通させ、温水タンク（５５）へ戻る。【００１１】  図１および図２について、前部固定枠（６）および後部固定枠（７）の上に上部固定枠（６１）を仮設する。上部固定枠（６１）の上に、温水ポンプシステム（６２）および真空ポンプシステム（６３）を設けている。
温水ポンプシステム（６２）は、温水ポンプ用モーター（５６）、温水タンク（５５）、温水ポンプ（５７）を配設し、往路管（５８）へ可撓ホースＣ１（６６）、可撓ホースＣ２（６８）を連結し、復路管（６０）へ可撓ホースＤ１（６７）、可撓ホースＤ２（６９）を連結して設ける。
真空ポンプシステム（６３）は、真空ポンプ用モーター（３４）、真空ポンプ（３５）、冷却装置（３８）、脱臭器（３９）を配設し、吸気管（３７）へ可撓ホース（３０）を連結し、空気逃がし弁（４０）を設ける。
また、片口回転筒（２）、前部回転蓋（８）、前部回転継手（９）、後部回転継手（１１）、温水ポンプシステム（７８）などについて、全面を断熱材（６４）によって覆っている。【００１２】  以上の片口回転式真空乾燥機の構成について、使用するときは次ぎのように行う。
ヒーター（５４）によって温水タンク（５５）に温水を加熱し、温水ポンプ（５７）によって往路管（５８）、後部回転継手（１１）を経て温水管（５９）に循環させ、片口回転筒（２）内を加熱させ、温水温度を制御する。
回転筒用モーター（１９）を開始すると、小スプロケット（２０）、チェーン（２１）、大スプロケット（１８）を経て、片口回転筒（２）に設けた後端壁（４）を駆動し、後端壁（４）に固定された外筒継手（４５）は連動されて回転する。これに対して、後部固定枠（７）に対して内筒継手（４１）は固定される。
前部回転蓋（８）を開いて片口回転筒（２）の中に生ゴミが投入されると、螺旋状羽根（５）によって後方へ生ゴミは移送され、片口回転筒（２）の後部へ貯留される。
片口回転筒（２）の容量に対して生ゴミの投入容量が限界に達すると、片口回転筒（２）を停止し、  前部回転蓋（８）を閉じ、真空ポンプ（３５）を開始し、片口回転筒（２）内の空気を吸気する。  前部回転継手（９）および吸気管（３７）を経て、回転されながら片口回転筒（２）内の水分を含む空気を減圧させ加熱させて、水蒸気になり蒸発する。
真空ポンプ（３５）から排気される水蒸気は冷却装置（３８）を経て凝縮され排水され、脱臭器（３９）によって排気される。
通常の水分８５％の生ゴミは加熱、減圧によって蒸発され、時間によって制御され、水分１５％程度の乾燥ゴミになる。
乾燥ゴミになると、真空ポンプ（３５）を停止し、空気逃がし弁（４０）を開く。
片口回転筒（２）内の減圧された空気は、前部回転継手（９）を連通させ、空気逃がし弁（４０）によって大気圧より吸気される。
片口回転筒（２）内の減圧された空気は始めて大気圧になり、前部回転蓋（８）を開くことができる。
乾燥ゴミを排出するときは、前部回転蓋（８）を開き、片口回転筒（２）を逆回転方向へ駆動する。
片口回転筒（２）内の螺旋状羽根（５）の回転によって、乾燥ゴミを開口部（３）より掻き出すことができる。
【実施例１】
【００１２】  本発明の１つの後部複流回転継手（１３）を設けた片口回転式真空乾燥機の実施形態について、実施例を説明する。
図５は実施例の１つの後部複流回転継手を設けた片口真空乾燥機の側面図を示す。
片口回転筒（２）の前部の前部回転蓋（８）に前部回転継手（９）を設けず、後端壁（４）と後部固定枠（７）の間に後部複流回転継手（１３）を回転中心に枢着させて設ける。
後部複流回転継手（１３）の中に、空気流路Ａ１（３２）、Ｂ１（３３）および温水流路Ｃ１（４３），Ｄ１（４４）、Ｃ２（４７），Ｄ２（４８）によって、回転する片口回転筒（２）の内部と固定した後部固定枠（７）の外部へ設けた温水ポンプシステム（６２）および真空ポンプシステム（６３）を連通させるように構成する。
空気容量を多くして可撓ホース（３０）を太くするので、可撓ホース（３０）を上下へ回転させる構造が難しい。可撓ホース（６５）を片口回転筒（２）の後部へ移設する方が簡単になる。したがって、可撓ホース（３０）を前部回転継手（９）より取り除き、後部回転継手（１１）へ可撓ホース（６５）を追加する。すなわち、前部回転継手（９）と後部回転継手（１１）を合体させて、後部複流回転継手（１３）とする。
そのかわり片口回転筒（２）の中に空気配管（７０）が必要になる。
後端壁（４）に通過穴（７２）を設け、空気配管（７０）を片口回転筒（２）の中に取付け、空気流路Ａ１（３２）より空気配管（７０）を連通させ、密封材３（５３）で密封する。生ゴミの塵埃を詰まらないように空気配管（７０）の前端に濾過網（７１）を設ける。最初に生ゴミを投入すると、片口回転筒（２）の後部へ貯留するが、生ゴミの容量が多くなると、前部へ生ゴミが固まってくる。
したがって、小さい塵芥などが空気配管（７０）へ侵入してくるので、濾過網（７１）を設ける。【００１３】  図６は後部複流回転継手の断面図（図５の部分詳細図Ｃ）を示す。
後部複流回転継手（１３）の回転中心に外筒継手（７３）と内筒継手（７４）を二重に構成し、外筒継手（７３）を後端壁（４）へ固定し、内筒継手（７４）を後部固定枠（７）へ固定する。外筒継手（７３）と内筒継手（７４）の間に軸受（７５）、（７６）および密封材１（５１）、密封材２（５２）、密封材３（５３）を設けて回転させ密閉する。
内筒継手（７４）の管材（７７）の中に、温水流路Ｃ１（４３）へ可撓ホースＣ１（６６）を、温水流路Ｄ１（４４）へ可撓ホースＤ１（６７）を、空気流路Ａ１（３２）へ可撓ホース（６５）を、空気流路Ｂ１（３３）へ空気逃がし弁（４０）を、４つの流路を設ける。  外筒継手（７３）の管材（７８）の中に、温水流路Ｃ２（４７），温水流路Ｄ２（４８）の２つ流路を設け、おのおの可撓ホースＣ２（６８），可撓ホースＤ２（６９）を連結する。また後端壁（４）に通過穴（７２）を設けた空気配管（７０）は、空気流路Ａ１（３２）と連通する。
密封材１（５１）と密封材２（５２）の間に温水流路Ｃ１（４３）と温水流路Ｃ２（４７）を連通させ、密封材２（５２）と密封材３（５３）の間に温水流路Ｄ１（４４）と温水流路Ｄ２（４８）を連通させる。
後端壁（４）へ固定した外筒継手（７３）から可撓ホースＣ２（６８），可撓ホースＤ２（６９）を連結して、片口回転筒（２）の温水ジャケット（７９）へ連通する。
後部固定枠（７）へ固定した内筒継手（７４）から可撓ホースＣ１（６６）、可撓ホースＤ１（６７）を連結して温水ポンプシステム（６２）へ連通し、可撓ホース（６５）を連結して真空ポンプシステム（６３）へ連通する。
【図面の簡単な説明】
【００１４】
【図１】実施例の２つの回転継手を設けた片口回転式真空乾燥機の右側面図を示す。
【図２】２つの回転継手を設けた片口回転式真空乾燥機の前面図を示す。
【図３】前部回転継手の断面図（図１の部分詳細図Ａ）を示す。
【図４】後部回転継手の断面図（図１の部分詳細図Ｂ）を示す。
【図５】実施例の１つの後部複流回転継手を設けた片口回転式真空乾燥機の右側面図を示す。
【図６】後部複流回転継手の断面図（図５の部分詳細図Ｃ）を示す。
【符号の説明】
【００１５】  １    架台                      ２    片口回転筒
３    開口部                    ４    後端壁
５    螺旋状羽根                ６    前部固定枠
７    後部固定枠                ８    前部回転蓋
９    前部回転継手            １０    空気流路
１１    後部回転継手            １２    温水（または水蒸気）流路
１３    後部複流回転継手
【図１】
2007298262.tif 000003
【図２】
2007298262.tif 000004
【図３】
2007298262.tif 000005
【図４】
2007298262.tif 000006
【図６】
2007298262.tif 000007
【図５】
2007298262.tif 000008